(57)【要約】【課題】移動端末装置が増加してもタイマリソースを圧迫せず、動作に遅延等の悪影響を起こさずに圏外検出機能を実現できる移動端末管理方式を提供する。【解決手段】構内無線交換機は、連結リストの構造の圏外監視テーブル３０ａ、…、１秒の圏外監視タイマを備える。圏外監視テーブル３０ａ、…は、各移動端末装置の初回位置登録時にＰＳ．ＮＯ、圏外検出時刻を書込む。ＰＳ制御タスク２１は、移動端末装置１０ｉの定期位置登録時に圏外監視テーブルから該当する圏外監視テーブル３０ｉを抜き出してチェーンの最後尾へ移動し、位置登録時刻順に並べる。ＰＳ制御タスク２１は、タイマタスクから１秒のタイムアップが通知される毎に各圏外監視テーブル３０ａ、…の圏外検出時刻と現在時刻とを順次比較して圏外を判定し、その圏外監視テーブルをチェーンから外す。上記圏外検出処理は、上記圏外検出時刻が現在時刻に達していないと判定されるまで行なう。【選択図】      図５
2006174175.tif 000002
【特許請求の範囲】
【請求項１】
移動端末装置と無線通信し、該移動端末装置からの定期位置登録を利用して前記移動端末装置の位置を管理する移動端末管理方式において、
前記各移動端末装置に対応して設けられ、該移動端末装置を特定する番号及び現在時刻に圏外判定時間を加えた圏外検出時刻が書込まれる連結リスト構造の圏外監視テーブルと、圏外監視テーブルの連結リストの先頭ポインタ及び最後尾ポインタを管理する圏外監視チェーン管理テーブルと、前記各移動端末装置から定期位置登録毎が行なわれる毎に前記圏外監視テーブルを検索して該当する圏外監視テーブルを抜き出し、圏外検出時刻を更新して連結リストの最後尾へ移動する手段と、圏外監視の実行を指示するための圏外監視タイマと、前記圏外監視タイマがタイムアップする毎に再セットを指示する手段と、前記圏外監視タイマがタイムアップする毎に前記各圏外監視テーブルにおける圏外検出時刻と現在時刻とを比較し、該圏外検出時刻が現在時刻よりも過去の時刻の場合に当該圏外監視テーブルに対応する移動端末装置が圏外であると判定する圏外判定手段とを具備することを特徴とする移動端末管理方式。
【発明の詳細な説明】
【技術分野】
【０００１】
本発明は、パーソナル・ハンディホン・システム（ＰＨＳ）等の総合サービス網において、移動端末装置が定期的に位置登録動作をする機能を用いて移動端末装置の通信可能領域外（圏外）を検出する移動端末管理方式に関する。
【背景技術】
【０００２】
従来、例えばパーソナル・ハンディホン・システム（ＰＨＳ）等の私設総合サービス網を用いた構内無線システムでは、ビル内や工場の敷地等の構内に構内無線交換機（ＰＢＸ）及び無線基地局装置（ＢＳ）を設置し、移動端末装置（ＰＳ）との間で無線通信を行なっている。そして、上記従来の構内無線システムでは、一般に移動端末装置（ＰＳ）が定期的に位置登録動作をする機能を用いて移動端末装置（ＰＳ）の位置を確認し、また、移動端末装置（ＰＳ）が通信可能領域内（圏内）から通信可能領域外（圏外）に移動したかどうかを検出するようにしている。
【０００３】
図８は、上記構内無線システムにおいて、移動端末装置（ＰＳ１、ＰＳ２、…）が圏外に移動したかどうかを検出する従来のシーケンスを示したものである。構内無線交換機（ＰＢＸ）は、アプリケーションとして移動端末装置（ＰＳ１、ＰＳ２、…）を制御するＰＳ制御タスク、タイマを制御するタイマタスク、移動端末装置（ＰＳ１、ＰＳ２、…）の位置を位置表示サーバーに表示するための位置表示タスクを備えている。
【０００４】
構内無線交換機（ＰＢＸ）は、タイマタスクにより一定時間例えば６０秒の圏外監視タイマを各移動端末装置（ＰＳ１、ＰＳ２、…）毎に起動し、各移動端末装置（ＰＳ１、ＰＳ２、…）から定期位置登録がある毎にタイマをリセット・再セットし、タイムアップする前に定期位置登録が行なわれれば圏内、タイムアップすれば圏外と判定する方法で、各移動端末装置（ＰＳ１、ＰＳ２、…）の圏外検出を行なっている。
【０００５】
すなわち、構内無線交換機（ＰＢＸ）のＰＳ制御タスクは、図８に示すように無線基地局装置（ＢＳ）を経由して移動端末装置（ＰＳ１、ＰＳ２、…）との間の通信を行なうが、今、例えば移動端末装置（ＰＳ１）から定期位置登録が行なわれると、無線基地局装置（ＢＳ）から構内無線交換機のＰＳ制御タスクに位置登録ＳＥＴＵＰが送られる。ＰＳ制御タスク２１は、上記移動端末装置（ＰＳ１）の位置登録ＳＥＴＵＰを受付けると、呼設定用メッセージとしてＣＡＬＬＰＲＯＣ（call proceeding：呼設定受付け）及びＩＮＦＯ（information：付加情報）を返し、その後、無線基地局装置（ＢＳ）からＩＮＦＯ（information：付加情報）が送られてくると、移動端末装置（ＰＳ１）に対するタイマ１リセット指令、続いてタイマ１再セット指令をタイマタスクに送る。このタイマタスクは、ＰＳ制御タスクからの指令に従ってＰＳ１圏外監視タイマをリセットした後、再セットする。
【０００６】
また、ＰＳ制御タスクは、上記タイマ１リセット指令、タイマ１再セット指令をタイマタスクに送った後、無線基地局装置（ＢＳ）に呼解放用メッセージとしてＤＩＳＣ（disconnect：切断）を送り、無線基地局装置（ＢＳ）からＲＥＬ（release：解放）が返ってくると、ＲＥＬＣＯＭ（release complete：解放完了）を送出する。これにより移動端末装置（ＰＳ１）と無線基地局装置（ＢＳ）及びＰＳ制御タスクとの間の接続が解放される。
【０００７】
以下、同様にしてＰＳ制御タスクは、無線基地局装置（ＢＳ）から送られてくる他の移動端末装置（ＰＳ２、…）に対する位置登録ＳＥＴＵＰを受付けて上記した処理を実行する。
【０００８】
そして、圏外監視タイマ、例えばＰＳ１圏外監視タイマがタイムアップするまでに移動端末装置（ＰＳ１）による位置登録が行なわれなかった場合、タイマタスクはＰＳ１圏外監視タイマがタイムアップしたことを示すメッセージをＰＳ制御タスクに送出する。ＰＳ制御タスクは、タイマタスクからタイマ１タイムアップのメッセージが送られてくると、移動端末装置（ＰＳ１）が圏外に移動したものと判定し、その旨を位置表示タスクに伝達する。これにより位置表示タスクは、位置表示サーバーに対し、移動端末装置（ＰＳ１）が圏外に位置していることを表示するように指示する。
【０００９】
上記のように従来の構内無線システムでは、一般に移動端末装置が定期的に位置登録動作をする機能を用いて移動端末装置が圏外に移動したかどうかを検出している。
【００１０】
また、本発明に関連する公知技術として、発呼元からの通話を移動端末装置へ中継する構内無線システムの中継装置において、発呼に応じて移動端末装置との接続を確立する際、例えば移動端末装置が圏外に存していることにより接続を確率できなかった場合、発呼元の識別情報を記憶手段に記憶し、その後、上記移動端末装置が圏内に入って接続が確率されたときに、上記記憶手段に記憶された発呼元の識別情報を当該移動端末装置に通知するようにした技術が知られている（例えば、特許文献１参照。）。
【特許文献１】特開２００１−１０３０６０号公報
【発明の開示】
【発明が解決しようとする課題】
【００１１】
上記のように従来の移動端末管理方式は、各移動端末装置（ＰＳ１、ＰＳ２、…）に対応させてそれぞれ圏外監視タイマを設け、各移動端末装置（ＰＳ１、ＰＳ２、…）から定期位置登録がある毎に対応する圏外監視タイマをリセット・再セットし、タイムアップする前に定期位置登録が行なわれれば圏内、タイムアップすれば圏外と判定するようにしているので、移動端末装置（ＰＳ１、ＰＳ２、…）の数が増加すると、移動端末装置（ＰＳ１、ＰＳ２、…）の管理に負担が掛かると共にタイマリソースを消費し、且つタイムアップ検出処理、タイムアップメールの処理に時間が掛かり、全体の動作に遅延が生じるという問題があった。
【００１２】
本発明は上記の課題を解決するためになされたもので、移動端末装置が増加してもタイマリソースを圧迫せず、動作に遅延等の悪影響を起こさずに圏外検出機能を実現できる移動端末管理方式（移動端末管理方式）を提供することを目的とする。
【課題を解決するための手段】
【００１３】
本発明は、移動端末装置と無線通信し、該移動端末装置からの定期位置登録を利用して前記移動端末装置の位置を管理する移動端末管理方式において、
前記各移動端末装置に対応して設けられ、該移動端末装置を特定する番号及び現在時刻に圏外判定時間を加えた圏外検出時刻が書込まれる連結リスト構造の圏外監視テーブルと、圏外監視テーブルの連結リストの先頭ポインタ及び最後尾ポインタを管理する圏外監視チェーン管理テーブルと、前記各移動端末装置から定期位置登録毎が行なわれる毎に前記圏外監視テーブルを検索して該当する圏外監視テーブルを抜き出し、圏外検出時刻を更新して連結リストの最後尾へ移動する手段と、圏外監視の実行を指示するための圏外監視タイマと、前記圏外監視タイマがタイムアップする毎に再セットを指示する手段と、前記圏外監視タイマがタイムアップする毎に前記各圏外監視テーブルにおける圏外検出時刻と現在時刻とを比較し、該圏外検出時刻が現在時刻よりも過去の時刻の場合に当該圏外監視テーブルに対応する移動端末装置が圏外であると判定する圏外判定手段とを具備することを特徴とする。
【発明の効果】
【００１４】
本発明によれば、移動端末装置の全体に対して１つの圏外監視タイマを設ければ良いので、移動端末装置が増加してもタイマのリソースを消費しないという利点がある。また、圏外監視テーブルを連結リスト構造とし、移動端末装置による定期位置登録毎に該当する圏外監視テーブルを検索して抜き出し、圏外検出時刻を更新して連結リストの最後尾へ移動し、圏外監視テーブルが位置登録時刻順に並ぶように構成することにより、圏外検出処理を実行する際に移動端末装置を全検索する必要がなく、処理時間を短縮することが可能となる。また、圏外監視タイマのタイムアップを通知するメール負荷か一定のため、移動端末装置が偏った動作をしてもシステムを安定に動作させることができる。
【発明を実施するための最良の形態】
【００１５】
以下、図面を参照して本発明の一実施形態を説明する。  
図１は、例えばパーソナル・ハンディホン・システム（ＰＨＳ）等の私設総合サービス網を用いた構内無線システムにおいて、移動端末装置（ＰＳ）が定期的に位置登録動作をする機能を用いて移動端末装置（ＰＳ）の位置を確認し、また、移動端末装置（ＰＳ）が通信可能領域内（圏内）から通信可能領域外（圏外）に移動したかどうかを検出する場合のシステム構成例を示したものである。
【００１６】
図１において、１１は例えばビル内や工場の敷地等の構内に設置される無線基地局装置（ＢＳ）、１２は構内無線交換機（ＰＢＸ）、１３は構内無線交換機１２の指示に従って移動端末装置（ＰＳ）１０ａ、１０ｂ、…の位置を表示する位置表示サーバーである。
【００１７】
上記構内無線交換機１２は、アプリケーションとして移動端末装置１０ａ、１０ｂ、…を制御するＰＳ制御タスク２１、圏外監視タイマを制御するタイマタスク２２、移動端末装置１０ａ、１０ｂ、…の位置を位置表示サーバー１３に表示するための位置表示タスク２３を備えている。また、構内無線交換機１２は、ＰＳ制御タスク２１が管理する圏外監視テーブル３０ａ、３０ｂ、…、圏外監視チェーン管理テーブル３１を備えると共に、タイマタスク２２が管理する圏外監視タイマ３２及び現在時刻を計時する計時装置３３を備えている。上記圏外監視タイマ３２は、全体で１つ設けられるもので、その計時時間は例えば１秒（sec）に設定される。上記構内無線交換機１２は、圏外監視タイマ３２が計時する時間、この例では１秒毎に上記圏外監視テーブル３０ａ、３０ｂ、…に基づいて全移動端末装置１０ａ、１０ｂ、…をチェックし、圏外検出時刻を過ぎているものを圏外と判定する。
【００１８】
上記圏外監視テーブル３０ａ、３０ｂ、…は、図２に示すように各移動端末装置１０ａ、１０ｂ、…毎に対応付けてオフセット０〜ＰＳ台数分作成するもので、双方向の連結リスト（圏外監視チェーン）の構造を有している。
【００１９】
次に、上記圏外監視テーブル３０ａ、３０ｂ、…、圏外監視タイマ３２等の各部の詳細について説明する。  
（１）圏外監視テーブル
上記圏外監視テーブル３０ａ、３０ｂ、…には、「オフセット番号」、「ＰＳ．ＮＯ」、「圏外検出時刻」、「圏外監視テーブルチェーンＮＥＸＴポインタ」等が書込まれる。
【００２０】
上記「オフセット番号」は、“０”から順番に付けられる。  
「ＰＳ．ＮＯ」は、各移動端末装置１０ａ、１０ｂ、…を識別するための番号で、各移動端末装置１０ａ、１０ｂ、…から最初に位置登録が行なわれた際に、その位置登録電文からセットする。  
「圏外検出時刻」は、移動端末装置１０ａ、１０ｂ、…を圏外と判定するための時刻で、例えば圏外判定の時間が６０秒であれば、
圏外判定時刻＝現在時刻＋６０（秒）
に設定する。  
「圏外監視テーブルチェーンＮＥＸＴポインタ」は、次の圏外監視テーブルのポインタを示している。
【００２１】
（２）圏外監視タイマの起動
圏外監視タイマ３２は、全移動端末装置１０ａ、１０ｂ、…を通じて１つだけ設けられるものであり、タイマタスク２２によって管理される。タイマタスク２２は、圏外監視タイマ３２の初回起動をシステム起動時に行ない、タイムアップ時に再セットし、その後、一定間隔で圏外監視タイマ３２を起動する。すなわち、タイマタスク２２は、図３に示すようにＰＳ制御タスク２１から与えられるタイマセット指令によって圏外監視タイマ３２をセットし、圏外監視タイマ３２が１秒の計時を行なってタイムアップすると、それをＰＳ制御タスク２１に通知する。
【００２２】
ＰＳ制御タスク２１は、タイマタスク２２から圏外監視タイマ３２のタイムアップが通知されると、移動端末装置１０ａ、１０ｂ、…に対する圏外検出処理を実行すると共に、タイマセット指令をタイマタスク２２に出力する。上記移動端末装置１０ａ、１０ｂ、…に対する圏外検出処理については、詳細を後述する。
【００２３】
以下、同様にしてタイマタスク２２により圏外監視タイマ３２の起動が継続して行なわれ、圏外監視タイマ３２がタイムアップする毎にＰＳ制御タスク２１により移動端末装置１０ａ、１０ｂ、…に対する圏外検出処理が実行される。
【００２４】
（３）圏外監視テーブルへの初回位置登録動作
圏外監視テーブル３０ａ、３０ｂ、…は、双方向の連結リスト構造を有するもので、図４に示すように連結リスト（以下、圏外監視チェーンという）のチェーンＨＥＡＤ（先頭）とＴＡＩＬ（最後尾）を圏外監視チェーン管理テーブル３１により管理する。この圏外監視チェーン管理テーブル３１には、圏外監視テーブル３０ａ、３０ｂ、…の先頭ポインタ（ＨＥＡＤ）と、最後尾ポインタ（ＴＡＩＬ）が書込まれる。
【００２５】
上記ＰＳ制御タスク２１は、移動端末装置１０ａ、１０ｂ、…の初回位置登録時、以下の手順で圏外監視テーブル３０ａ、３０ｂ、…をセットする。ここでは、移動端末装置１０ｉが初回位置登録を行なう場合について図４を参照して説明する。
【００２６】
（ａ）移動端末装置１０ｉが初回位置登録を行なうと、ＰＳ制御タスク２１により登録処理が行なわれ、その位置登録が完了すると、位置情報が位置表示タスク２３へ送られて位置表示サーバー１３（図１参照）に表示される。上記ＰＳ制御タスク２１は、移動端末装置１０ｉにより初回位置登録が行なわれた際、その位置登録電文から圏外監視テーブル３０ｉに対して移動端末装置１０ｉのＰＳ．ＮＯをセットする。
【００２７】
（ｂ）圏外検出時刻として、「現在時刻＋圏外監視時間（６０秒）」をセットとする。
【００２８】
（ｃ）上記圏外監視テーブル３０ｉを圏外監視テーブル３０ａ、３０ｂ、…の最後尾に連結してセットする。このとき圏外監視チェーン管理テーブル３１の最後尾ポインタ（ＴＡＩＬ）の値を更新する。
【００２９】
（４）定期位置登録受信動作
図５に示すように既に初回位置登録を終了した移動端末装置１０ａ、１０ｂ、…例えば移動端末装置１０ｉから定期位置登録があった場合、ＰＳ制御タスク２１は、圏外監視テーブル３０ａ、３０ｂ、…を検索して該当する圏外監視テーブル３０ｉを見付け、圏外監視チェーンから抜き出して圏外監視チェーンの最後尾へ移動する。この際、圏外監視テーブル３０ｉにおける圏外検出時刻を更新し、再セットする。
【００３０】
上記のように移動端末装置１０ａ、１０ｂ、…から定期位置登録が行なわれる毎にＰＳ制御タスク２１が圏外監視テーブル３０ａ、３０ｂ、…を検索し、該当する圏外監視テーブル３０ｉの圏外検出時刻を更新してチェーンの最後尾へ移動することで、圏外監視チェーンは位置登録時刻順に並ぶことになる。
【００３１】
（５）圏外検出動作
ＰＳ制御タスク２１は、図６に示すようにタイマタスク２２から圏外監視タイマ３２のタイムアップ（１秒）が通知される毎に移動端末装置１０ａ、１０ｂ、…の圏外検出動作を実行する。圏外監視テーブル３０ａ、３０ｂ、…における圏外監視チェーンは、上記図５で説明したように位置登録時刻順に並んでいるので、その先頭からチェーンをたどり、各圏外監視テーブル３０ａ、３０ｂ、…に書込まれている圏外検出時刻と現在時刻とを比較し、圏外検出時刻が現在時刻より過去の時刻の場合、全て圏外と判定し、位置表示タスク２３へ圏外通知を行なう。上記圏外と判定された圏外監視テーブル３０ｉは、圏外監視チェーンから外し、ＰＳ．ＮＯ以外を初期化して圏外とする。
【００３２】
上記の圏外検出処理は、各圏外監視テーブル３０ａ、３０ｂ、…から読出した圏外検出時刻が現在時刻に達していない（圏外検出時刻＜現在時刻）と判定されるまで行なう。すなわち、圏外監視チェーンは、位置登録時刻順に並んでいるので、圏外でない圏外監視テーブル（未来の時刻）が見付かれば、それ以降の圏外監視テーブルは全て圏外ではないので、圏外検出処理を行なう必要はない。これにより、圏外検出の処理時間を短縮することができる。但し、検索中の移動端末装置１０ｉが通話中の場合は、上記（４）の定期位置登録受信時と同様に、圏外検出時刻を再セットとして圏外監視チェーンの最後尾へ移動する。
【００３３】
なお、上記圏外検出処理において、移動端末装置１０ａ、１０ｂ、…が大量に同時に圏外に陥るなども偏った動作をした場合には、ＰＳ制御タスク２１から位置表示タスク２３への圏外通知メッセージの大量発行につながり、システム負荷が増大する恐れがある。このような問題を回避するため、一度の検索では一定量しか検出しないように上限ガードを設ける。この上限ガードを超えた場合、圏外監視テーブルは圏外監視チェーンから外さず、次回（１秒後）に処理する。
【００３４】
（６）圏外検出の全体の動作
次に、上記移動端末装置１０ａ、１０ｂ、…に対する圏外検出の全体の処理動作を図７に示す圏外検出シーケンスに従って説明する。
【００３５】
圏外監視テーブル３０ａ、３０ｂ、…に対し、移動端末装置１０ａ、１０ｂ、…の初回位置登録を行なった後、例えば移動端末装置１０ｉから定期位置登録が行なわれると、無線基地局装置（ＢＳ）１１から構内無線交換機１２のＰＳ制御タスク２１に位置登録ＳＥＴＵＰが送られる（ステップＡ１）。ＰＳ制御タスク２１は、上記移動端末装置１０ｉの位置登録ＳＥＴＵＰを受付けると、呼設定用メッセージとしてＣＡＬＬＰＲＯＣ（call proceeding：呼設定受付け）及びＩＮＦＯ（information：付加情報）を返す（ステップＡ２）。また、ＰＳ制御タスク２１は、その後、移動端末装置１０ｉからＩＮＦＯ（information：付加情報）が送られてくると（ステップＡ３）、図５に示したように圏外監視テーブル３０ａ、３０ｂ、…を検索して該当する圏外監視テーブル３０ｉを見付け、圏外監視チェーンから抜き出して圏外監視チェーンの最後尾へ移動する（ステップＡ４）。この際、圏外監視テーブル３０ｉにおける圏外検出時刻を更新し、再セットする。
【００３６】
また、ＰＳ制御タスク２１は、上記ステップＡ４の処理を終了した後、無線基地局装置（ＢＳ）１１に上記移動端末装置１０ｉに対する呼解放用メッセージとしてＤＩＳＣ（disconnect：切断）を送り（ステップＡ５）、無線基地局装置（ＢＳ）１１からＲＥＬ（release：解放）が返ってくると（ステップＡ６）、ＲＥＬＣＯＭ（release complete：解放完了）を送出する（ステップＡ７）。これにより移動端末装置１０ｉと無線基地局装置（ＢＳ）１１及びＰＳ制御タスク２１との間の接続が解放される。
【００３７】
一方、タイマタスク２２は、図３で説明したように圏外監視タイマ３２を管理しており、圏外監視タイマ３２が１秒の計時を行なってタイムアップすると、ＰＳ制御タスク２１にタイムアップを通知する（ステップＡ８）。
【００３８】
ＰＳ制御タスク２１は、タイマタスク２２から圏外監視タイマ３２のタイムアップが通知されると、タイマ再セット指令（ステップＡ９）をタイマタスク２２に送出すると共に、図６で説明したように圏外監視テーブル３０ａ、３０ｂ、…に基づいて移動端末装置１０ａ、１０ｂ、…に対する圏外検出動作を実行する（ステップＡ１０）。
【００３９】
今、例えば移動端末装置１０ｉが上記ステップＡ１で定期位置登録を行なった後圏外に移動し、定期位置登録が行なわれずに圏外検出時間が経過したものとすると（ステップＡ１１）、その後、タイマタスク２２からＰＳ制御タスク２１に圏外監視タイマ３２のタイムアップが通知された際に（ステップＡ１２）、ＰＳ制御タスク２１によりタイマ再セット指令（ステップＡ１３）がタイマタスク２２に送られると共に、移動端末装置１０ａ、１０ｂ、…に対する圏外監視テーブル３０ａ、３０ｂ、…を参照し、圏外検出時刻と現在時刻との比較により圏外検出処理を実行する（ステップＡ１４）。すなわち、圏外検出時刻が現在時刻より過去の時刻である場合に圏外であると判定する。
【００４０】
上記ＰＳ制御タスク２１は、上記圏外検出処理によって移動端末装置１０ｉが圏外であることを検出すると、位置表示タスク２３に対して圏外通知（ステップＡ１５）を行なうと共に、移動端末装置１０ｉに対する圏外監視テーブル３０ｉを圏外監視チェーンから外す（ステップＡ１６）。
【００４１】
上記移動端末装置１０ｉが圏外となった後、再び圏内に移動して通信可能な状態となった場合は、上記図４で説明した初回位置登録動作により圏外監視テーブル３０ｉに登録される。  
以下、同様にして圏外監視タイマ３２がタイムアップする毎に各移動端末装置１０ａ、１０ｂ、…に対する圏外検出処理が実行される。
【００４２】
上記実施形態によれば、移動端末装置１０ａ、１０ｂ、…全体に対して１つの圏外監視タイマ３２を設ければ良いので、移動端末装置が増加してもタイマのリソースを消費しないという利点がある。また、圏外監視テーブル３０ａ、３０ｂ、…を連結リスト構造とし、移動端末装置１０ａ、１０ｂ、…による定期位置登録毎に該当する圏外監視テーブルを検索して抜き出し、圏外検出時刻を更新して圏外監視チェーン（連結リスト）の最後尾へ移動し、圏外監視テーブル３０ａ、３０ｂ、…が位置登録時刻順に並ぶように構成することにより、圏外検出処理では移動端末装置１０ａ、１０ｂ、…を全検索する必要がなく、処理時間を短縮することが可能となる。また、圏外監視タイマ３２のタイムアップを通知するメール負荷か一定のため、移動端末装置１０ａ、１０ｂ、…が偏った動作をしてもシステムを安定に動作させることができる。
【００４３】
上記のように移動端末装置１０ａ、１０ｂ、…からの定期位置登録を利用して移動端末装置の位置を管理する場合、圏外検出に１秒以下の厳密な動作は必要ないので、圏外監視タイマ３２を全体で１つ設け、１秒毎に移動端末装置１０ａ、１０ｂ、…の圏外検出処理を行なっても、問題なくシステムを運用することができる。
【００４４】
なお、上記実施形態では、移動端末装置１０ａ、１０ｂ、…が無線基地局装置（ＢＳ）１１との通信可能領域内に位置している場合を圏内、通信可能領域外に移動した場合を圏外として説明したが、移動端末装置１０ａ、１０ｂ、…が通信可能領域内に位置している状態で、電源がオンあるいはオフに切換えられた場合も圏内あるいは圏外として処理される。
【００４５】
また、上記実施形態では、圏外監視タイマ３２の計時時刻を１秒に設定した場合について説明したが、１秒以外に設定しても良いことは勿論である。  
また、上記実施形態では、圏外判定時間を６０秒に設定した場合について説明したが、６０秒以外の値に設定しても良い。
【００４６】
また、上記実施形態では、本発明に係る移動端末管理方式を構内無線システムに適用した場合について示したが、その他、例えば一般的な携帯電話システムや無線ＬＡＮシステムにおいても適用し得るものである。  
また、本発明は、上記実施形態そのままに限定されるものではなく、実施段階ではその要旨を逸脱しない範囲で構成要素を変形して具体化できるものである。
【図面の簡単な説明】
【００４７】
【図１】本発明の一実施形態に係る移動端末管理方式のシステム構成例を示す図である。
【図２】同実施形態における圏外監視タイマの動作を説明するための図である。
【図３】同実施形態における圏外監視テーブルを説明するための図である。
【図４】同実施形態における移動端末装置の初回位置登録動作を説明するための図である。
【図５】同実施形態における移動端末装置の定期位置登録動作を説明するための図である。
【図６】同実施形態における移動端末装置の圏外検出動作を説明するための図である。
【図７】同実施形態における移動端末装置の圏外検出シーケンスを示す図である。
【図８】従来の移動端末装置の圏外検出シーケンスを示す図である。
【符号の説明】
【００４８】
１０ａ、１０ｂ、１０ｉ…移動端末装置、１１…無線基地局装置、１２…構内無線交換機、１３…位置表示サーバー、２１…ＰＳ制御タスク、２２…タイマタスク、２３…位置表示タスク、３０ａ、３０ｂ、３０ｉ…圏外監視テーブル、３１…圏外監視チェーン管理テーブル、３２…圏外監視タイマ、３３…現在時刻の計時装置。
【図１】
2006174175.tif 000003
【図２】
2006174175.tif 000004
【図３】
2006174175.tif 000005
【図４】
2006174175.tif 000006
【図５】
2006174175.tif 000007
【図６】
2006174175.tif 000008
【図７】
2006174175.tif 000009
【図８】
2006174175.tif 000010